(57)【要約】【課題】車両用フロアカーペットを車両の乗員室内に搬入する際に容易かつ位置精度良く折り曲げることができ、しかも車両用フロアカーペットの剛性や保形性や遮音性の低下を抑制可能な車両用フロアカーペットを提供する。【解決手段】車両の室内の床面に配置される車両用フロアカーペット１が、床面の形状に対応する凹凸形状２，３を有し、車両用フロアカーペット１の折り曲げを容易にする、スリットからなる折れ誘起部１５が設けられている。【選択図】図２
2020157081.tif 000002
【特許請求の範囲】
【請求項１】
車両の室内の床面に配置される車両用フロアカーペットであって、
前記床面の形状に対応する凹凸形状を有し、
前記車両用フロアカーペットの折り曲げを容易にする、スリットからなる折れ誘起部が設けられている、車両用フロアカーペット。
【請求項２】
車両の室内の床面に配置される車両用フロアカーペットであって、
前記床面の形状に対応する凹凸形状を有し、
前記車両用フロアカーペットの折り曲げを容易にする、板厚変位部からなる折れ誘起部が設けられている、車両用フロアカーペット。
【請求項３】
前記車両用フロアカーペットの幅方向に直交する方向において、前記板厚変位部を中心として一方の側の厚さは他方の側の厚さの２倍以上である、請求項２に記載の車両用フロアカーペット。
【請求項４】
車両の室内の床面に配置される車両用フロアカーペットであって、
前記床面の形状に対応する凹凸形状を有し、
前記車両用フロアカーペットの折り曲げを容易にする、１対の斜面に挟まれた谷部からなる折れ誘起部が設けられている、車両用フロアカーペット。
【請求項５】
前記折れ誘起部は、前記凹凸形状の、前記車両用フロアカーペットの幅方向に延びる仮想的な折り曲げ線上に設けられており、前記車両用フロアカーペットの前記折り曲げ線に沿う折り曲げを容易にする、請求項１から４のいずれか１項に記載の車両用フロアカーペット。
【発明の詳細な説明】
【技術分野】
【０００１】
本発明は、車両の乗員室内におけるフロアパネルに敷設されるフロアカーペットに関する。
【背景技術】
【０００２】
自動車の乗員室の内壁を構成する車体パネルには、意匠性や高級感の向上を目的として、各種の成形内装材が設けられている。一例としては、乗員室の床面を構成するフロアパネルと、そのフロアパネルの端部から上方へ立ち上がっているトーボードパネル等とにかけて、成形内装材であるフロアカーペット（例えばタフトカーペットやニードルパンチカーペット等）が敷設される。成形内装材の一例であるフロアカーペットの裏面には、クッション性や吸音性や遮音性を向上させるための、フロアスペーサーやフロアサイレンサー等と呼ばれるフェルトまたは発泡体からなる緩衝材や嵩上げ材が設けられる場合がある。緩衝材としては、繊維を混合し成型してなる繊維集合体が用いられる。この種の繊維集合体としては、厚さ方向に繊維が配向された繊維構造体を用いることも知られている。繊維構造体は、比較的軽量かつクッション性が高いため、緩衝材として優れた機能を有している。これらの緩衝材や嵩上げ材は、フロアカーペットとは別に成形された後、フロアカーペットの裏面に貼り合わされるか、フロアカーペットとフロアパネルとの間に配置される。
【０００３】
前述したようにフロアカーペットの裏面に緩衝材や嵩上げ材を設けた構成は製造が比較的煩雑であるので、製造を簡単にするために、表面側のカーペット層と裏面側の緩衝材層とからなる多層構造のフロアカーペットが用いられる場合もある。多層構造のフロアカーペットは、カーペット層と、緩衝材や嵩上げ材の代替品である緩衝材層とを含み、これらの各層を別々に、またはこれらの各層を重ねた状態で、加熱して内部に含まれる熱可塑性樹脂繊維を軟化させて、所望の形状を有する一対のプレス成形型の間に配してプレス成形することにより、カーペット層と緩衝材層が同時に所望の形状に形成される。
【０００４】
通常、フロアパネルには様々な凹凸形状が設けられている。例えば、フロアパネルの幅方向の中央部には、ドライブシャフト等を貫通させるため、または、センターコンソールを配設する為に、上方へ（乗員室の内側に向かって凸状に）隆起したトンネル状の凸部が、前後方向に延在するように形成されている。また、フロアパネルの前後方向の中央部や、幅方向の両端部などには、クロスメンバーやロッカーパネル等の凸部が形成されている。このため、フロアカーペットは、フロアパネルの凸部に沿う凹凸形状を有するように、前述したように一対のプレス成形型を用いて深絞り状にプレス成形される。フロアカーペットは、車体のフロアパネルの略全面を覆うように敷設される大きな成形体であるため、フロアカーペットを車両のフロアパネル上に敷設する際には、フロアカーペットを２つに折り畳んだ状態で乗員室内へ搬入し、搬入した後に、折り畳まれていたフロアカーペットを広げてフロアパネル上へ敷設する。
【０００５】
特許文献１には、床材（フロアカーペット）の裏面に、クロスメンバー当接部の長手方向に沿って折り曲げ溝が形成されており、この折り曲げ溝を介して床材を二つ折りにして乗員室内に搬入することが可能な構成が開示されている。
【０００６】
特許文献２には、表皮（カーペット層）の裏面全体にインシュレータ（緩衝材層）を一体に設けてなる車両用フロアカーペットにおいて、このフロアカーペットをフロアに敷設したときにシート下になる位置に、車両搭載時に折り畳むための折れ起点となるビードが形成された構成が開示されている。ビードが形成された部分は、インシュレータの厚みを比較的薄肉にして折り曲げ易くしている。
【先行技術文献】
【特許文献】
【０００７】
【特許文献１】実開平２−８６８８６号公報
【特許文献２】特開２０１４−５１１８０号公報
【発明の概要】
【発明が解決しようとする課題】
【０００８】
特許文献１および特許文献２に開示されている構成では、フロアカーペットを折り曲げ易くするために、フロアカーペットの裏面側に、幅方向に沿って延びる折り曲げ溝やビード（薄肉部分）が設けられている。このような折り曲げ溝やビードは、フロアカーペットの剛性や保形性を低下させるおそれがある。また、このような折り曲げ溝やビードが、フロアカーペットの緩衝材層に設けられていると、吸音性が低下するおそれもある。
さらに、フロアカーペットの緩衝材層が薄肉になっていても、カーペット層がある程度大きな剛性を有しているため、大面積のフロアカーペットを、平坦面状の部分に設けられた折り曲げ溝やビードを起点として二つ折りにすることは容易ではない。特に、緩衝材層は表面側のカーペット層に比べて剛性が小さく、この緩衝材層にＶ字状の溝（部分的に潰した形状）が設けられているのみでは、この溝を確実に折り曲げの起点として作用させることは難しく、折り曲げたい位置とは異なる位置で折れが発生するおそれがある。また、フロアカーペットの幅方向の両端部などに緩衝材層が設けられていない部分が存在する場合があり、その部分には折り曲げ溝やビードが存在しないので、折り曲げにくい。このようなフロアカーペットに大きな力を加えて二つ折りにする際に、特に幅方向の両端部において所望の折り曲げ位置以外の場所において折れ曲がってしまうおそれがある。その場合、フロアカーペットの表面の視認可能な場所にシワが発生して意匠性を損なう可能性がある。
【０００９】
本発明の目的は、車両用フロアカーペットを車両の乗員室内に搬入する際に容易かつ位置精度良く折り曲げることができ、しかも車両用フロアカーペットの剛性や保形性や遮音性の低下を抑制可能な車両用フロアカーペットを提供することである。
【課題を解決するための手段】
【００１０】
本発明の１つの特徴は、車両の室内の床面に配置される車両用フロアカーペットが、床面の形状に対応する凹凸形状を有し、車両用フロアカーペットの折り曲げを容易にする、スリットからなる折れ誘起部が設けられているところにある。
本発明の他の特徴は、車両の室内の床面に配置される車両用フロアカーペットが、床面の形状に対応する凹凸形状を有し、車両用フロアカーペットの折り曲げを容易にする、板厚変位部からなる折れ誘起部が設けられているところにある。
本発明のさらに他の特徴は、車両の室内の床面に配置される車両用フロアカーペットが、床面の形状に対応する凹凸形状を有し、車両用フロアカーペットの折り曲げを容易にする、１対の斜面に挟まれた谷部からなる折れ誘起部が設けられているところにある。
【発明の効果】
【００１１】
本発明によると、車両用フロアカーペットの剛性低下を抑制しつつ、車両用フロアカーペットを容易かつ精度良く折り畳むことができる。
【図面の簡単な説明】
【００１２】
【図１】本発明の一実施形態の車両用フロアカーペットを上方から見た斜視図である。
【図２】図１に示す車両用フロアカーペットを裏面側から見た斜視図である。
【図３】図１に示す車両用フロアカーペットの一部拡大断面図である。
【図４】図２の一部の拡大図である。
【図５】図１の一部を拡大して示す平面図である。
【図６】図５のＢ−Ｂ線断面図である。
【図７】図５のＣ−Ｃ線断面図である。
【図８】図１に示すフロアカーペットのスリット付近を拡大して示す斜視図である。
【図９】本発明のフロアカーペットの折れ誘起部の他の例を示す斜視図である。
【図１０】図９のＤ−Ｄ線に沿う緩衝材層の断面図である。
【発明を実施するための形態】
【００１３】
以下、図面を参照して本発明の実施形態を説明する。ただし、図面は、本発明の実施例を示したものであって、この実施例に限られるものではない。
本発明の一実施形態の車両用フロアカーペット（フロアカーペット）１は、車両の乗員室の床面（図示しないフロアパネル）の上に敷設されており、図１はそれを上方（車室の内部側）から見た斜視図であり、図２はそれを裏面側（フロアパネル側）から見た斜視図である。フロアカーペット１には、フロアパネルの形状に沿って様々な凹凸形状（凸部２や凹部３など）が形成されている。図示しないが、フロアパネルには、車両幅方向（幅方向Ｗ）の中央において車両前後方向（前後方向Ｌ）に延在するトンネルや、幅方向Ｗの両端部において前後方向Ｌに延在するロッカーパネルや、前後方向Ｌの中央付近において幅方向Ｗに延在するクロスメンバーなどが設けられている。従って、図１に示すように、フロアカーペット１には、フロアパネルのトンネルやロッカーパネルやクロスメンバー等を覆うように、それらに対応する形状の凸部２が形成されている。これらの凸部２の間には、乗員の足置き部となる凹部３が設けられている。凹部３は、平坦な底面を有し、足で踏まれても破損や変形を生じない強度と、内装材として好ましいクッション性とを兼ね備えている。また、フロアパネルには、前方側に斜め上方へ立ち上がるように形成されているトーボードパネルが設けられており、フロアカーペット１には、トーボードパネルを覆うように斜め前方に傾斜した前側傾斜部４が形成されている。車両用フロアカーペットの幅方向および前後方向は、車両の幅方向Ｗおよび前後方向Ｌと一致する。
【００１４】
図２に示すように、フロアカーペット１は、少なくとも表面側（乗員室の内部側）に位置するカーペット層１０と、裏面側（フロアパネル側）に位置する緩衝材層１１とを有する。緩衝材層１１は、カーペット層１０の裏面の略全面にわたって設けられており、フロアパネルの凹凸を埋めるようにフロアパネルの形状に合わせて成形されている。この緩衝材層１１により、足置き部となる凹部３の底面の平坦性や強度（剛性）を高めている。また、緩衝材層１１によって、クッション性や吸音性も付与している。
【００１５】
さらに、緩衝材層１１は部分的に厚さの大きい部分を有しており、例えば、緩衝材層１１には、フロアパネルのトンネルを覆う凸部２の頂部の裏面側に、図３に示すように、他の部分よりも厚さが大きい膨出部１１ａが形成されている。なお、図３に示す例では、カーペット層１０と緩衝材層１１との間に非通気フィルム層１２が配置されている。フロアカーペット１がフロアパネルに固定されると、緩衝材層１１の厚い部分（膨出部１１ａ等）が、対向するフロアパネルに押しつけられて弾性的に潰れる。このように、厚い部分がフロアパネルや対向する他の構成部品に当接して弾性的に潰れた状態で固定されると、フロアパネルに強く密着してフロアパネルの振動を抑えることができる。すなわち、厚い部分を有する緩衝材層１１が、緩衝機能に加えて、フロアパネルの制振性および静音性を向上させることができる。このように厚さの大きい部分を含む緩衝材層１１は、カーペット層１０（図３に示す例では非通気フィルム層１２も含む）と一緒にプレス成形されることによって形成され、緩衝材層１１の部位によって、厚さの違いと同様に密度も異なっている。
【００１６】
フロアカーペット１をフロアパネルの上に敷設する際には、車両のドア部を通過できるように前後方向Ｌに２つ折りにした状態で乗員室内へ搬入し、乗員室内で再び広げてフロアパネル上に敷設する。大きなフロアカーペット１を綺麗に２つ折りにすることは容易ではなく、折り目に沿って、または折り目の近傍において、フロアカーペット１の表面にシワが形成されるおそれがある。フロアカーペット１の表面にシワが形成されると、フロアカーペット１の美感が著しく損なわれる。通常は、折り目がシートの下方の視認し難い位置に形成されるように、折り曲げ位置を決めているが、この折り曲げ位置から外れた位置に折れやシワが生じると、乗員から見える位置に折れやシワが存在する可能性があり、美観状の問題がある。従って、所望の折り曲げ位置で正確に折り曲げられるようにするために、折り曲げの起点になる折れ誘起部が形成される。
【００１７】
本実施形態では、図２に点線で示すように、車両のフロントシート（前部座席）の下方の位置であって、フロアパネルのクロスメンバーに対応して形成された凸部２の立壁の根元である、幅方向に延びる屈曲部（コーナー部）に沿って仮想的な折り曲げ線１３を設定する。図２は裏面側から示しているので、凸部２が凹形状として図示されている。フロアカーペット１の左右両端の、幅方向に延びる仮想的な折り曲げ線１３と重なる位置に、スリット５が形成されている。スリット５はカーペット層１０の両側端部から内方へ向かってそれぞれ形成されており、カーペット層１０を厚さ方向に貫通している。また、緩衝材層１１の厚さの大きい部分（図３に示す膨出部１１ａ等）と、それ以外の通常の厚さの部分との境界の部分、すなわち板厚変位部１１ｂが、仮想的な折り曲げ線１３上に位置している。スリット５や板厚変位部１１ｂは、部分的にフロアカーペット１の折り曲げを容易にする折れ誘起部の一種であって、これらを起点として容易に折り曲げられる。従って、これらのスリット５や板厚変位部１１ｂが同一直線上にあれば、その直線に沿って正確に折り曲げることが容易に可能である。特に、スリット５を利用すると作業者が非常に簡単に折り曲げ動作を開始することができ、この折り曲げ動作を開始する部分にシワが生じる可能性が低くなり非常に効果的である。さらに、スリット５はフロアカーペット１の幅方向Ｗの端部に設けられているので、前述したように確実に折れの起点として機能するとともに、乗員から視認し難い位置にスリットがあるため、意匠性（美感）が損なわれることがなくて好ましい。
【００１８】
さらに、本実施形態では、フロアパネルのクロスメンバーに対応するフロアカーペットの凸部２の、前後方向Ｌに延びる立壁の根元である屈曲部（コーナー部）にも折れ誘起部が設けられている。図４，５に拡大して示すように、この折れ誘起部は、１対の斜面１４に挟まれた谷部１５である。この谷部１５も、スリット５および板厚変位部１１ｂと同一直線上にある。すなわち、この谷部１５が設けられているのは、仮想的な折り曲げ線１３であって凸部２の幅方向Ｗに延びる立壁の根元である屈曲部（コーナー部）と、凸部２の、幅方向Ｗに交差する方向（本実施形態では幅方向Ｗに直交する前後方向Ｌ）に延びる立壁の根元である屈曲部（コーナー部）とが交わる部分１６である。この技術的意義について以下に説明する。
【００１９】
乗員室内のフロアパネルの上にフロアカーペット１を敷設する際には、大きなフロアカーペット１を、ドアを通過させて乗員室内に搬入するために前後方向Ｌに折り畳む必要がある。フロアカーペット１の折り目やシワが乗員の目に触れないように、折り目がシートの下方に位置するように仮想的な折り曲げ線１３を設定し、その折り曲げ線１３にできるだけ正確に沿って折り曲げることが望まれる。そのために、この折り曲げ線１３上の位置に、折れ誘起部（スリット５や板厚変位部１１ｂなど）が設けられている。仮に、折り曲げ線がフロアカーペット１の平坦な面の中間部分に設定されていると、その折り曲げ線上の一部に折れ誘起部があったとしても、高精度の折り曲げが難しい場合がある。これに対し、凸部２の幅方向Ｗに延びる立壁の根元である屈曲部（コーナー部）を仮想的な折り曲げ線１３にすると、既に屈曲している部分を折り曲げればよいため、平坦な面の中間部分に折り曲げ線を設定する場合に比べて、折り曲げの起点が生じやすく、高精度の折り曲げが可能になる。ただし、凸部２の幅方向Ｗに延びる立壁の根元である屈曲部（コーナー部）と、それに交差する方向のコーナー部、例えば凸部２の前後方向Ｌに延びる立壁の根元である屈曲部（コーナー部）とが交わる部分１６は、多面体の頂点であり、この頂点を折り曲げるのは困難である。要するに、凸部２の幅方向Ｗに延びる立壁の根元である屈曲部（コーナー部）を仮想的な折り曲げ線１３にすることによって折り曲げが概ね容易になるが、凸部２の前後方向Ｌに延びる立壁の根元である屈曲部（コーナー部）と交わる部分１６だけは折り曲げが困難である。そこで、本実施形態では、この交点の部分１６に折れ誘起部（谷部１５）を形成することによって、折り曲げ線１３に沿う高精度の折り曲げが容易にできるようにしている。この交点の部分１６においては、スリット等を形成するのが困難であるため、１対の斜面１４に挟まれた谷部１５を形成している。谷部１５は、フロアカーペット１の裏面の緩衝材層１１側から見て谷形状である。このような構成によって、フロアカーペット１の剛性や形状保持性を損なうことなく、車両の乗員室内へ搬入するためにフロアカーペット１を２つ折りにする際に、谷部１５を起点として折り曲げ線１３に正確に沿って折り曲げることが容易にできる。また、この谷部１５が、板厚変位部１１ｂに隣接して設けられていることが好ましい。
【００２０】
本実施形態では、比較的小さな折れ誘起部（スリット５と板厚変位部１１ｂと谷部１５）が複数個所に設けられており、幅方向の全長にわたる大きな折れ誘起部が設けられる場合に比べて、折れ誘起部に起因するフロアカーペットの剛性低下を抑えることができる。
【実施例】
【００２１】
前述した本発明のフロアカーペット１の、より具体的な実施例を以下に詳細に説明する。フロアカーペット１は、図５のＡ−Ａ線断面図である図３に示すように、車室内に面するカーペット層１０と、フロアパネルに面する緩衝材層１１と、カーペット層１０と緩衝材層１１との間に挟まれている非通気フィルム層１２とからなる。カーペット層１０は、フロアカーペット１の表面側の外観を向上させることと、内装材として好適な感触を付与するという機能を有し、ＰＥＴ繊維のニードルパンチ不織布からなり、目付が２００ｇ／ｍ２である。非通気フィルム層１２は、ＬＤＰＥ樹脂とＰＡ樹脂とＬＤＰＥ樹脂の３層からなる樹脂フィルムであって、目付が４５ｇ／ｍ２、厚さが４５μｍである。緩衝材層１１は、捲縮繊維からなる母材繊維が５０％、メルト繊維が３０％、雑綿が２０％の配合のＰＥＴ繊維からなり、目付が６００ｇ／ｍ２である。緩衝材層１１は、フロアカーペット１のカーペット層１０の裏面の略全面にわたって積層されており、各部が所望の厚さになるように潰されて、異密度になっている。一例としては、緩衝材層１１は、フロアパネルの形状に合わせて厚さが３〜１５ｍｍの範囲で各領域で異なるようにプレス成形によって形成され、部分的に厚みが大きい膨出部１１ａを有している。膨出部１１ａの１つは、フロアパネルのトンネルを覆うように前後方向Ｌに延びており、最大厚さが１０ｍｍ、最小厚さが３ｍｍとなるようにフロアカーペット１の裏面から膨出している。最小厚さの３ｍｍは、緩衝材層１１の膨出部１１ａとその他の部分との境界（板厚変位部１１ｂ）の厚さである。本実施例では、膨出部１１ａの車両後方の板厚変位部１１ｂが折れ誘起部の１つとして機能する。緩衝材層１１は、板厚変位部１１ｂを中心として一方の側の厚さが他方の側の厚さの２倍以上となるように成形されていることが好ましい。緩衝材層１１の厚さの範囲をこのように設定することによって、板厚変位部１１ｂは、より確実に折れの起点として機能するため好ましい。
【００２２】
このフロアカーペット１の製造方法としては、まず、前述したカーペット層１０と非通気フィルム層１２と緩衝材層１１とをこの順に積層して、総厚さが約６ｍｍになるように成形して原反（積層体）を形成する。そして、この原反を一対の成形型の間に投入し、プレス成形することによって、フロアパネルに対応する形状に形成する。具体的には、原反のカーペット層１０側をヒーターで加熱し、緩衝材層１１側を熱風により加熱することによって、カーペット層１０と緩衝材層１１を構成する熱可塑性樹脂繊維と非通気フィルム層１２を軟化溶融させた状態で、一対の成形型の間に投入してプレス成形することで、フロアパネルに対応する形状に形成する。緩衝材層１１を熱風で加熱する際にメルト繊維が溶融することによって、捲縮繊維の捲縮性が発現して、緩衝材層１１の厚さが復元する。それによって、本実施例における原反の全体の厚さは、加熱前の約６ｍｍから加熱後には約２５ｍｍまで復元する。このように厚さが復元した状態でプレス成形を行うことによって、緩衝材層１１の厚さの設計自由度が向上する。また、緩衝材層１１が捲縮繊維を含んでいるため、原反を薄い状態にしておくことが可能であるため、原反の輸送効率が格段に向上する。すなわち、輸送時の荷姿が良好であり、輸送費を大幅に低減できる。また、原反の緩衝材層１１側を熱風によって加熱すると、緩衝材層１１を通過した熱風は非通気フィルム層１２で反射されて、緩衝材層１１は、この反射した熱風によって再度加熱されるため、本実施例による原反の加熱は効率が優れている。
【００２３】
緩衝材層１１の膨出部１１ａの例として、図５のＢ−Ｂ線断面図である図６に示すように、フロアカーペット１の幅方向Ｗの中央部分に形成された、フロアパネルのトンネルを覆う凸部２の頂面の裏側から下方へ膨出するように形成されたものがある。このように緩衝材層１１に形成された膨出部１１ａは、対向するフロアパネルまたは構成部品に当接して弾性的に潰されることで、フロアパネル等に緩衝機能に加えて制振性を付与している。
【００２４】
また、図５のＣ−Ｃ線断面図である図７に示すように、フロアカーペット１の前後方向Ｌの中央付近には、フロアパネルのクロスメンバーを覆うように幅方向Ｗに延在する凸部２が形成されている。凸部２は、フロアパネルのクロスメンバーに合わせて形成されていて、この凸部２の屈曲部（コーナー部）１７をフロアカーペット１の折れの起点として利用することもできる。
【００２５】
図８は、フロアカーペット１の折れ誘起部の一つであるスリット５付近を拡大して示す斜視図である。スリット５は、フロアカーペット１の幅方向Ｗの左右端部に、幅方向Ｗに平行に間隔をあけて２箇所切り欠くことによって形成されている。
【００２６】
図９は、本発明の折れ誘起部の他の例を示す斜視図である。図９に示すように、フロアパネルのトンネルを覆って、前後方向Ｌに延在するように、凸部２がフロアカーペット１に形成されている。凸部２が前後方向Ｌに延在する範囲を横断するように、凹部１８が形成されている。凹部１８は、底面１８ａと立壁１８ｂ，１８ｃとからなる断面Ｕ字状の溝であって、フロアカーペット１を車室内へ搬入するために前後に２つ折りにする際に折れの起点となる折れ誘起部として機能する。この凹部１８は、板厚変位部１１ｂの代わりに緩衝材層１１に設けてもよく、凹部１８と板厚変位部１１ｂの両方を緩衝材層１１に設けてもよい。また、図９のＤ−Ｄ線に沿う緩衝材層１１の断面図である図１０に示すように、凹部１８の立壁１８ｂの裏面側の緩衝材層１１には、立壁１８ｂに対して垂直な方向に突出する突出部１８ｄが形成されている。フロアカーペット１は、図示しないが、成形すべきフロアカーペット１の形状に対応する形状のキャビティを有する１対の成形型によってプレス成形されている。すなわち、一対の成形型は、図１０の上下方向に近接および離間するように移動する。そのため、成形されたフロアカーペット１の緩衝材層１１の突出部１８ｄは、成形型の型抜き方向に対していわゆるアンダー形状であり、成形型内にスライド駒などか設けられていない場合には、アンダー形状に成形された後に型抜きされる際にキャビティの壁面に当接する。アンダー形状の突出部１８ｄを強引に脱型させると、キャビティの内壁の一部をアンダー形状の突出部１８ｄが乗り越える際に、凹部１８を変形させる力が加わる。すなわち、型抜き時に凹部１８の一部を折るような力が加わる。こうしてフロアカーペット１の凹部１８の一部が折れるか、または折れ易い癖（折れ癖）が付く。従ってこの折れ部または折れ癖が付いた部分を起点として、フロアカーペット１を折り畳むことが容易にでき、車両の乗員室内への搬入が可能になる。
【００２７】
なお、以上の説明はすべて、カーペット層１０の裏面の略全面に緩衝材層１１が設けられた構成のフロアカーペット１に関するものであったが、この構成に限定されるわけではない。すなわち、フロアカーペット１とは別に形成されたフェルトや樹脂粒子発泡成形体（ビーズ発泡体）やウレタン等の発泡体など、従来公知のフロアスペーサーをホットメルト接着などにより後貼りしてもよく、またはこれらのフロアスペーサーを接着せずにフロアカーペットとフロアパネルとの間に配設するだけであってもよい。
【符号の説明】
【００２８】
１      車両用フロアカーペット（フロアカーペット）
２      凸部（凹凸形状）
３      凹部（凹凸形状）
４      前側傾斜部
５      スリット
１０    カーペット層
１１    緩衝材層
１１ａ  膨出部
１１ｂ  板厚変位部
１２    非通気フィルム層
１３    折り曲げ線
１４    斜面
１５    谷部（折れ誘起部）
１６    交点の部分
１７    屈曲部（コーナー部）
１８    凹部
１８ａ  底面
１８ｂ，１８ｃ    立壁
１８ｄ  突出部
Ｗ      車両幅方向（幅方向）
Ｌ      車両前後方向（前後方向）
【図１】
2020157081.tif 000003
【図２】
2020157081.tif 000004
【図３】
2020157081.tif 000005
【図４】
2020157081.tif 000006
【図５】
2020157081.tif 000007
【図６】
2020157081.tif 000008
【図７】
2020157081.tif 000009
【図８】
2020157081.tif 000010
【図９】
2020157081.tif 000011
【図１０】
2020157081.tif 000012